(57)【要約】【課題】  画像形成装置に関し、特に画像表示の際のセキュリティ面を考慮した画像形成装置を提供する。【解決手段】  画像形成装置は、スキャナ１、ＩＰＵ３、書き込み制御部５、プリンタ６、メインコントローラ７、操作表示部１４から構成されている。画像形成装置の電源ＯＮ後（ステップＳ２０）、原稿セット時、該当原稿がセキュリティ指定原稿である場合（ステップＳ２１／Ｙｅｓ）、操作表示部１４へ所定の画像を表示し（ステップＳ２２）、セキュリティ指定で無い場合は通常のプレビュー表示を行ない（ステップＳ２３）、印刷指定処理等を行う（ステップＳ２４）。セキュリティ指定原稿であるか否かの照合については、記憶部（ＨＤＤ）８内に蓄積されている画像との照合によって行なう。所定の画像とは、例えば黒ベタ画像である。【選択図】  図２
2007081717.tif 000002
【特許請求の範囲】
【請求項１】
画像データを読み取る読取り手段と、画像データを記憶する記憶手段と、画像プレビューを表示する表示手段と、を備える画像形成装置であって、
前記記憶手段は、予めセキュリティ指定された画像データを記憶し、
前記表示手段は、前記セキュリティ指定した原稿については、所定の画像を表示することを特徴とする画像形成装置。
【請求項２】
画像データを読み取る読取り手段と、画像データを記憶する記憶手段と、サムネイル画像表示を行なう表示手段と、を備える画像形成装置であって、
前記記憶手段は、予めセキュリティ指定された画像データを記憶し、
前記表示手段は、前記セキュリティ指定した原稿については、所定の画像を表示することを特徴とする画像形成装置。
【請求項３】
画像データを読み取る読取り手段と、画像データを記憶する記憶手段と、画像プレビューを表示する表示手段と、を備える画像形成装置であって、
前記記憶手段は、予めセキュリティ指定された画像データを記憶し、
前記表示手段は、前記セキュリティ指定した原稿については、プレビュー表示を行なわないことを特徴とする画像形成装置。
【請求項４】
画像データを読み取る読取り手段と、画像データを記憶する記憶手段と、サムネイル画像表示を行なう表示手段と、を備える画像形成装置であって、
前記記憶手段は、予めセキュリティ指定された画像データを記憶し、
前記表示手段は、前記セキュリティ指定した原稿については、サムネイル表示を行なわないことを特徴とする画像形成装置。
【請求項５】
画像データを読み取る読取り手段と、画像データを記憶する記憶手段と、画像プレビューを表示する表示手段と、を備える画像形成装置であって、
前記記憶手段は、予めセキュリティ指定された画像データを記憶し、
前記読み取り手段は、前記セキュリティ指定した原稿については、読み取り不能とし、
前記読み取り手段で、読み取り不能となった場合は、警告音を鳴らす警告手段を備えることを特徴とする画像形成装置。
【請求項６】
画像データを読み取る読取り手段と、画像データを記憶する記憶手段と、サムネイル画像表示を行なう表示手段と、を備える画像形成装置であって、
前記記憶手段は、予めセキュリティ指定された画像データを記憶し、
前記サムネイル画像表示手段により表示する画像が、前記予めセキュリティ指定された画像データである場合は、警告音を鳴らす警告手段を備えることを特徴とする画像形成装置。
【請求項７】
画像データを読み取る工程と、画像データを記憶する工程と、画像プレビューを表示する工程と、を備える画像形成方法であって、
前記画像データを記憶する工程は、予めセキュリティ指定された画像データを記憶し、
前記画像プレビューを表示する工程は、前記セキュリティ指定した原稿については、所定の画像を表示することを特徴とする画像形成方法。
【請求項８】
画像データを読み取る工程と、画像データを記憶する工程と、サムネイル画像表示を行なう工程と、を備える画像形成方法であって、
前記画像データを記憶する工程は、予めセキュリティ指定された画像データを記憶し、
前記サムネイル画像表示を行なう工程は、前記セキュリティ指定した原稿については、所定の画像を表示することを特徴とする画像形成方法。
【請求項９】
画像データを読み取る工程と、画像データを記憶する工程と、画像プレビューを表示する工程と、を備える画像形成方法であって、
前記画像データを記憶する工程は、予めセキュリティ指定された画像データを記憶し、
前記画像プレビューを表示する工程は、前記セキュリティ指定した原稿については、プレビュー表示を行なわないことを特徴とする画像形成方法。
【請求項１０】
画像データを読み取る工程と、画像データを記憶する工程と、サムネイル画像表示を行なう工程と、を備える画像形成方法であって、
前記画像データを記憶する工程は、予めセキュリティ指定された画像データを記憶し、
前記サムネイル画像表示を行なう工程は、前記セキュリティ指定した原稿については、サムネイル表示を行なわないことを特徴とする画像形成方法。
【請求項１１】
画像データを読み取る工程と、画像データを記憶する工程と、画像プレビューを表示する工程と、を備える画像形成方法であって、
前記画像データを記憶する工程は、予めセキュリティ指定された画像データを記憶し、
前記画像データを読み取る工程は、前記セキュリティ指定した原稿については、読み取り不能とし、
前記画像データを読み取る工程で、読み取り不能となった場合は、警告音を鳴らす工程を備えることを特徴とする画像形成方法。
【請求項１２】
画像データを読み取る工程と、画像データを記憶する工程と、サムネイル画像表示を行なう工程と、を備える画像形成方法であって、
前記画像データを記憶する工程は、予めセキュリティ指定された画像データを記憶し、
前記サムネイル画像表示を行なう工程により表示する画像が、前記予めセキュリティ指定された画像データである場合は、警告音を鳴らす工程を備えることを特徴とする画像形成方法。
【発明の詳細な説明】
【技術分野】
【０００１】
本発明は、画像形成装置及び画像形成方法に関し、特に画像表示の際のセキュリティ面を考慮した画像形成装置に関する。
【背景技術】
【０００２】
従来から、オフィス等で画像形成装置が普及しており、機密文書も同様にコピーされていた。また、画像形成装置が印刷中である場合は、予約コピーすることが可能である。予約する場合は、印刷結果を第三者に見られないように、印刷が終了するまで待機するか、一旦装置から離れ、印刷が終了する時間帯を見計らって再度確認しに行く必要があった。待機する場合は、長時間要する場合が考えられ、印刷が終了する時間を見計らって確認しに行く場合は、間に合わなかった場合に第三者に機密文書が見られてしまうことや、予約内容が第三者により勝手に変更されてしまうことが考えられた。
【０００３】
そこで、近年では、機密文書の予約コピーの設定時は、パスワードを入力し、その予約印刷の順が来たときに、再度パスワードを入力し、一致するまで印刷を実行しないようにし、パスワードの入力が一定時間ない場合は、予約はキャンセルされたものとすることで、予約コピー機能を使用した場合でも、機密保護を容易に行うことが出来、また、その他の文書の予約コピーも円滑に行うことができる技術が提案されている（例えば、特許文献１参照）。
【特許文献１】特開２００４−１０９９３５号公報
【発明の開示】
【発明が解決しようとする課題】
【０００４】
しかしながら、画像プレビューを表示する表示装置を備えている画像形成装置においては、スキャン後、表示部に機密文書が表示されてしまい、セキュリティ上問題が生じる。
【０００５】
本発明はこのような状況に鑑みてなされたものであり、係る不具合を解決することを前提とし、表示部についてもセキュリティの保護強化を万全とする画像形成装置の提供を目的としている。
【課題を解決するための手段】
【０００６】
請求項１記載の発明は、画像データを読み取る読取り手段と、画像データを記憶する記憶手段と、画像プレビューを表示する表示手段と、を備える画像形成装置であって、前記記憶手段は、予めセキュリティ指定された画像データを記憶し、前記表示手段は、前記セキュリティ指定した原稿については、所定の画像を表示することを特徴とする画像形成装置である。
【０００７】
請求項２記載の発明は、画像データを読み取る読取り手段と、画像データを記憶する記憶手段と、サムネイル画像表示を行なう表示手段と、を備える画像形成装置であって、前記記憶手段は、予めセキュリティ指定された画像データを記憶し、前記表示手段は、前記セキュリティ指定した原稿については、所定の画像を表示することを特徴とする画像形成装置である。
【０００８】
請求項３記載の発明は、画像データを読み取る読取り手段と、画像データを記憶する記憶手段と、画像プレビューを表示する表示手段と、を備える画像形成装置であって、前記記憶手段は、予めセキュリティ指定された画像データを記憶し、前記表示手段は、前記セキュリティ指定した原稿については、プレビュー表示を行なわないことを特徴とする画像形成装置である。
【０００９】
請求項４記載の発明は、画像データを読み取る読取り手段と、画像データを記憶する記憶手段と、サムネイル画像表示を行なう表示手段と、を備える画像形成装置であって、前記記憶手段は、予めセキュリティ指定された画像データを記憶し、前記表示手段は、前記セキュリティ指定した原稿については、サムネイル表示を行なわないことを特徴とする画像形成装置である。
【００１０】
請求項５記載の発明は、画像データを読み取る読取り手段と、画像データを記憶する記憶手段と、画像プレビューを表示する表示手段と、を備える画像形成装置であって、前記記憶手段は、予めセキュリティ指定された画像データを記憶し、前記読み取り手段は、前記セキュリティ指定した原稿については、読み取り不能とし、前記読み取り手段で、読み取り不能となった場合は、警告音を鳴らす警告手段を備えることを特徴とする画像形成装置である。
【００１１】
請求項６記載の発明は、画像データを読み取る読取り手段と、画像データを記憶する記憶手段と、サムネイル画像表示を行なう表示手段と、を備える画像形成装置であって、前記記憶手段は、予めセキュリティ指定された画像データを記憶し、前記サムネイル画像表示手段により表示する画像が、前記予めセキュリティ指定された画像データである場合は、警告音を鳴らす警告手段を備えることを特徴とする画像形成装置である。
【００１２】
請求項７記載の発明は、画像データを読み取る工程と、画像データを記憶する工程と、画像プレビューを表示する工程と、を備える画像形成方法であって、前記画像データを記憶する工程は、予めセキュリティ指定された画像データを記憶し、前記画像プレビューを表示する工程は、前記セキュリティ指定した原稿については、所定の画像を表示することを特徴とする画像形成方法である。
【００１３】
請求項８記載の発明は、画像データを読み取る工程と、画像データを記憶する工程と、サムネイル画像表示を行なう工程と、を備える画像形成方法であって、前記画像データを記憶する工程は、予めセキュリティ指定された画像データを記憶し、前記サムネイル画像表示を行なう工程は、前記セキュリティ指定した原稿については、所定の画像を表示することを特徴とする画像形成方法である。
【００１４】
請求項９記載の発明は、画像データを読み取る工程と、画像データを記憶する工程と、画像プレビューを表示する工程と、を備える画像形成方法であって、前記画像データを記憶する工程は、予めセキュリティ指定された画像データを記憶し、前記画像プレビューを表示する工程は、前記セキュリティ指定した原稿については、プレビュー表示を行なわないことを特徴とする画像形成方法である。
【００１５】
請求項１０記載の発明は、画像データを読み取る工程と、画像データを記憶する工程と、サムネイル画像表示を行なう工程と、を備える画像形成方法であって、前記画像データを記憶する工程は、予めセキュリティ指定された画像データを記憶し、前記サムネイル画像表示を行なう工程は、前記セキュリティ指定した原稿については、サムネイル表示を行なわないことを特徴とする画像形成方法である。
【００１６】
請求項１１記載の発明は、画像データを読み取る工程と、画像データを記憶する工程と、画像プレビューを表示する工程と、を備える画像形成方法であって、前記画像データを記憶する工程は、予めセキュリティ指定された画像データを記憶し、前記画像データを読み取る工程は、前記セキュリティ指定した原稿については、読み取り不能とし、前記画像データを読み取る工程で、読み取り不能となった場合は、警告音を鳴らす工程を備えることを特徴とする画像形成方法である。
【００１７】
請求項１２記載の発明は、画像データを読み取る工程と、画像データを記憶する工程と、サムネイル画像表示を行なう工程と、を備える画像形成方法であって、前記画像データを記憶する工程は、予めセキュリティ指定された画像データを記憶し、前記サムネイル画像表示を行なう工程により表示する画像が、前記予めセキュリティ指定された画像データである場合は、警告音を鳴らす工程を備えることを特徴とする画像形成方法である。
【発明の効果】
【００１８】
本発明によれば、スキャン時の操作表示部への表示の際、予めセキュリティ指定しておいた原稿についてのセキュリティを守ることが可能となる。
【発明を実施するための最良の形態】
【００１９】
以下に、本発明の実施形態に係る画像形成装置及び画像形成方法を、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。
【００２０】
図１は、本発明の実施形態に係る画像形成装置の構成概略図である。本実施形態に係る画像形成装置は、スキャナ１、ＩＰＵ３、書き込み制御部５、プリンタ６、メインコントローラ７、操作表示部１４から構成されている。また、スキャナ１は、原稿読み取り部２から、ＩＰＵ３は、画像処理ＡＳＩＣ４から、メインコントローラ７は、ＨＤＤ８、メモリ９、ＣＰＵ１０、ＲＯＭ１１、ＲＡＭ１２、ＮＶ−ＲＡＭ１３からそれぞれ構成されている。操作表示部１４とは、例えば、タッチパネルやブザーのことである。
【００２１】
上記構成において、スキャナ１の原稿読取部２で読み取った画像を画像処理ＡＳＩＣ４での処理を介して、メインコントローラ７のメモリ９及び、ハードディスク(ＨＤＤ)８に記憶させ、再度画像処理ＡＳＩＣ４を介して、プリンタ６への画像出力を行なう。蓄積文書のサムネイル表示/プレビュー表示については、ＣＰＵ１０の命令により、ＨＤＤ８に蓄積させておいたファイル文書を操作表示部１４へ表示させる。スキャン動作、印刷指定処理については、操作表示部１４からの指定にて行なう。
【００２２】
図２は、本発明の実施形態に係る画像形成装置において、表示する画像がセキュリティ指定原稿である場合の動作手順を示すフローチャートである。画像形成装置の電源ＯＮ後（ステップＳ２０）、原稿セット時、該当原稿がセキュリティ指定原稿である場合（ステップＳ２１／Ｙｅｓ）、操作表示部１４へ所定の画像を表示し（ステップＳ２２）、セキュリティ指定で無い場合は通常のプレビュー表示を行ない（ステップＳ２３）、印刷指定処理等を行う（ステップＳ２４）。セキュリティ指定原稿であるか否かの照合については、記憶部（ＨＤＤ）８内に蓄積されている画像との照合によって行なう。所定の画像とは、例えば黒ベタ画像が考え得るが、これに限るものではない。
【００２３】
上記実施形態により、予めセキュリティ指定しておいた原稿をスキャンする場合について、所定の画像を表示し、前記原稿に対するセキュリティを守るという効果がある。
【００２４】
図３は、本発明の実施形態に係る画像形成装置において、表示する画像がセキュリティ指定原稿である場合の動作手順を示すフローチャートである。画像形成装置を電源ＯＮ後（ステップＳ２５）、サムネイル表示設定時、該当文書がセキュリティ指定原稿である場合は（ステップＳ２６／Ｙｅｓ）、所定の画像を表示し、セキュリティ指定で無い場合は（ステップＳ２６／Ｎｏ）、通常のサムネイル表示をして（ステップＳ２８）、印刷指定処理等（ステップＳ２４）を行なう。セキュリティ指定原稿であるか否かの照合については、記憶部（ＨＤＤ）８内に蓄積されている画像との照合によって行なう。所定の画像とは、例えば黒ベタ画像が考え得るが、これに限るものではない。
【００２５】
上記実施形態により、予めセキュリティ指定しておいた原稿に対してサムネイル表示動作を試みた場合は、所定の画像を表示し、前記原稿に対するセキュリティを守るという効果がある。
【００２６】
図４は、本発明の実施形態に係る画像形成装置において、表示する画像がセキュリティ指定原稿である場合の動作手順を示すフローチャートである。画像形成装置の電源ＯＮ後（ステップＳ３０）、原稿セット時、該当原稿がセキュリティ指定原稿である場合（ステップＳ３１／Ｙｅｓ）、操作表示部１４へプレビュー表示せず（ステップＳ３２）、セキュリティ指定で無い場合は（ステップＳ３１／Ｎｏ）、プレビュー表示を行なう（ステップＳ３３）。プレビュー表示の有無に関わらず、スキャン動作を行なうことは可能である（ステップＳ３４）。セキュリティ指定原稿であるか否かの照合については、記憶部（ＨＤＤ）８内に蓄積されている画像との照合によって行なう。
【００２７】
上記実施形態により、予めセキュリティ指定しておいた原稿をスキャンする場合については、スキャンしてもプレビュー表示せず、前記原稿に対するセキュリティを守るという効果がある。
【００２８】
図５は、本発明の実施形態に係る画像形成装置において、表示する画像がセキュリティ指定原稿である場合の動作手順を示すフローチャートである。画像形成装置を電源ＯＮ後（ステップＳ３５）、サムネイル表示設定時、該当文書がセキュリティ指定原稿である場合は（ステップＳ３６／Ｙｅｓ）、サムネイル表示せず（ステップＳ３７）、セキュリティ指定で無い場合は（ステップＳ３６／Ｎｏ）表示をして（ステップＳ３８）、印刷指定処理等を行なう（ステップＳ３９）。セキュリティ指定原稿であるか否かの照合については、記憶部（ＨＤＤ）８内に蓄積されている画像との照合によって行なう。
【００２９】
上記実施形態により、予めセキュリティ指定しておいた原稿に対してサムネイル表示動作を試みた場合は、画像を表示せず、前記原稿に対するセキュリティを守るという効果がある。
【００３０】
図６は、本発明の実施形態に係る画像形成装置において、表示する画像がセキュリティ指定原稿である場合の動作手順を示すフローチャートである。画像形成装置の電源ＯＮ後（ステップＳ４０）、原稿セット時、該当原稿がセキュリティ指定原稿である場合（ステップＳ４１／Ｙｅｓ）、スキャン不能となり、操作部のブザーから警告音を鳴らす（ステップＳ４２）。セキュリティ指定で無い場合は（ステップＳ４１／Ｎｏ）、通常のプレビュー表示を行ない（ステップＳ４３）、印刷指定処理等を行なう（ステップＳ４４）。セキュリティ指定原稿であるか否かの照合については、記憶部（ＨＤＤ）８内に蓄積されている画像との照合によって行なう。
【００３１】
上記実施形態により、予めセキュリティ指定しておいた原稿をスキャンしようと試みた場合は、スキャン不能となり、更に警告音を鳴らすことによって、前記原稿に対するセキュリティを守るという効果がある。
【００３２】
図７は、本発明の実施形態に係る画像形成装置において、表示する画像がセキュリティ指定原稿である場合の動作手順を示すフローチャートである。画像形成装置を電源ＯＮ後（ステップＳ４５）、サムネイル表示設定時、該当文書がセキュリティ指定原稿である場合は（ステップＳ４６／Ｙｅｓ）、サムネイル表示設定時、警告音を鳴らす（ステップＳ４７）。セキュリティ指定で無い場合は通常のサムネイル表示を行ない（ステップＳ４８）、印刷指定処理等を行なう（ステップＳ４９）。セキュリティ指定原稿であるか否かの照合については、記憶部（ＨＤＤ）８内に蓄積されている画像との照合によって行なう。
【００３３】
上記実施形態により、予めセキュリティ指定しておいた原稿に対してサムネイル表示動作を試みた場合は、警告音を鳴らすことによって、前記原稿に対するセキュリティを守るという効果がある。
【００３４】
以上、本発明者によってなされた発明を好適な実施の形態に基づき具体的に説明したが、本発明は上記のものに限定されるものではなく、その要旨を逸脱しない範囲で種種変更可能であることは言うまでもない。
【図面の簡単な説明】
【００３５】
【図１】本発明の実施形態に係る画像形成装置の構成概略図である。
【図２】本発明の実施形態に係る画像形成装置において、表示する画像がセキュリティ指定原稿である場合の動作手順を示すフローチャートである。
【図３】本発明の実施形態に係る画像形成装置において、表示する画像がセキュリティ指定原稿である場合の動作手順を示すフローチャートである。
【図４】本発明の実施形態に係る画像形成装置において、表示する画像がセキュリティ指定原稿である場合の動作手順を示すフローチャートである。
【図５】本発明の実施形態に係る画像形成装置において、表示する画像がセキュリティ指定原稿である場合の動作手順を示すフローチャートである。
【図６】本発明の実施形態に係る画像形成装置において、表示する画像がセキュリティ指定原稿である場合の動作手順を示すフローチャートである。
【図７】本発明の実施形態に係る画像形成装置において、表示する画像がセキュリティ指定原稿である場合の動作手順を示すフローチャートである。
【符号の説明】
【００３６】
１    スキャナ
２    原稿読み取り部
３    ＩＰＵ
４    画像処理ＡＳＩＣ
５    書き込み制御部
６    プリンタ
７    メインコントローラ
８    ＨＤＤ（記憶部）
９    メモリ
１０    ＣＰＵ
１１    ＲＯＭ
１２    ＲＡＭ
１３    ＮＶ−ＲＡＭ
１４    操作表示部
【図１】
2007081717.tif 000003
【図２】
2007081717.tif 000004
【図３】
2007081717.tif 000005
【図４】
2007081717.tif 000006
【図５】
2007081717.tif 000007
【図６】
2007081717.tif 000008
【図７】
2007081717.tif 000009